(57)【要約】【課題】エレベータの点検又は故障時の作業性を向上させるエレベータの乗り場操作装置を提供することである。【解決手段】実施形態のエレベータ１００Ａの乗り場操作装置１Ａは、乗り場操作盤２Ａｎと接触部材と制御部とを備える。乗り場操作盤２Ａｎは、エレベータ１００Ａの乗り場に設置され、エレベータ１００Ａのかごを呼ぶためのものである。接触部材は、乗り場操作盤２Ａｎに外部から接触することにより、当該乗り場操作盤２Ａｎの動作を切り替えるためのものである。乗り場操作盤２Ａｎはタッチパネルを有し、利用者による乗り場操作盤２Ａｎの操作に応じてかごを昇降する通常運転の際に用いられる通常画面と、通常運転とは異なる運転の際に用いられる非通常画面とを表示する。制御部は、接触部材が乗り場操作盤２Ａｎに接触すると、利用者による通常運転の操作を無効にし、非通常画面をタッチパネルに表示する。【選択図】図３
2016117574.tif 000002
【特許請求の範囲】
【請求項１】
エレベータの各階の乗り場に設置され、前記各階に前記エレベータのかごを呼ぶための乗り場操作盤と、
前記乗り場操作盤に外部から接触することにより、当該乗り場操作盤の動作を切り替えるための接触部材と、
前記エレベータを制御する制御部とを備え、
前記乗り場操作盤は、
利用者による前記乗り場操作盤の操作に応じて前記かごを昇降する通常運転の際に用いられる通常画面と、前記通常運転とは異なる運転の際に用いられる非通常画面とを表示するタッチパネルを有し、
前記制御部は、
前記接触部材が前記乗り場操作盤に接触すると、前記利用者による前記通常運転の操作を無効にし、前記非通常画面を前記タッチパネルに表示することを特徴とするエレベータの乗り場操作装置。
【請求項２】
前記非通常画面を構成するアプリケーションプログラムを記憶する記憶部を有し、
前記制御部は、
前記接触部材が前記乗り場操作盤に接触すると、前記記憶部から前記アプリケーションプログラムを読み出して、当該アプリケーションプログラムのアイコンを前記タッチパネルに表示する請求項１に記載のエレベータの乗り場操作装置。
【請求項３】
前記アプリケーションプログラムには、
点検又は故障の際に必要な作業手順が含まれる請求項２に記載のエレベータの乗り場操作装置。
【請求項４】
エレベータの各階の乗り場に設置され、前記各階に前記エレベータのかごを呼ぶための乗り場操作盤と、
前記乗り場操作盤に接続される携帯端末と、
前記エレベータを制御する制御部とを備え、
前記携帯端末は、
利用者による前記乗り場操作盤の操作に応じて前記かごを昇降する通常運転とは異なる運転の際に用いられる非通常画面を表示するタッチパネルを有し、
前記制御部は、
前記携帯端末が前記乗り場操作盤に接続されると、前記利用者による前記通常運転の操作を無効にし、前記非通常画面を前記タッチパネルに表示することを特徴とするエレベータの乗り場操作装置。
【発明の詳細な説明】
【技術分野】
【０００１】
本発明の実施形態は、エレベータの乗り場操作装置に関する。
【背景技術】
【０００２】
従来、エレベータの各階の乗り場には、エレベータのかごを呼ぶための乗り場操作盤（ＨＩＢ；Hall  Indicator  Box）が乗り場の三方枠の所定位置に設置されている。一般的に、最上階の乗り場操作盤の背面側には、ホールメンテナンスユニットが設置されている。例えば、ホールメンテナンスユニットは、三方枠の開口部に設置され、乗り場操作盤により覆い隠されている。ホールメンテナンスユニットには、エレベータの運転を点検用の運転に切り替えるためのスイッチ等が設置されている。作業者は、最上階の乗り場操作盤を取り外してホールメンテナンスユニットの各種スイッチを操作し、点検又は故障の対応を行っている。
【先行技術文献】
【特許文献】
【０００３】
【特許文献１】特開２００３−９９６７２号公報
【発明の概要】
【発明が解決しようとする課題】
【０００４】
ところで、エレベータの点検又は故障時に乗り場操作盤を取り外す必要があり、作業性が悪かった。
【０００５】
そこで、本発明が解決しようとする課題は、エレベータの点検又は故障時の作業性を向上させるエレベータの乗り場操作装置を提供することである。
【課題を解決するための手段】
【０００６】
実施形態のエレベータの乗り場操作装置は、乗り場操作盤と接触部材と制御部とを備える。乗り場操作盤は、エレベータの各階の乗り場に設置され、前記各階に前記エレベータのかごを呼ぶためのものである。接触部材は、前記乗り場操作盤に外部から接触することにより、当該乗り場操作盤の動作を切り替えるためのものである。前記乗り場操作盤はタッチパネルを有し、利用者による前記乗り場操作盤の操作に応じて前記かごを昇降する通常運転の際に用いられる通常画面と、前記通常運転とは異なる運転の際に用いられる非通常画面とを表示する。制御部は、前記接触部材が前記乗り場操作盤に接触すると、前記利用者による前記通常運転の操作を無効にし、前記非通常画面を前記タッチパネルに表示する。
【図面の簡単な説明】
【０００７】
【図１】図１は、実施形態１に係るエレベータの構成例を示す概略図である。
【図２】図２は、実施形態１に係る乗り場操作装置の設置例を示す正面図である。
【図３】図３は、実施形態１に係る乗り場操作装置の構成例を示す斜視図である。
【図４】図４は、実施形態１に係る乗り場操作装置の構成例を示すブロック図である。
【図５】図５は、実施形態１に係る乗り場操作装置の操作例を示す斜視図である。
【図６】図６は、実施形態１に係る乗り場操作装置を使用した作業例を示すフローチャートである。
【図７】図７は、実施形態２に係る乗り場操作装置の構成例を示す斜視図である。
【図８】図８は、実施形態２に係る乗り場操作装置の構成例を示すブロック図である。
【図９】図９は、実施形態２に係る乗り場操作装置の操作例を示す斜視図である。
【図１０】図１０は、実施形態２に係る乗り場操作装置を使用した作業例を示すフローチャートである。
【発明を実施するための形態】
【０００８】
〔実施形態１〕
実施形態１に係るエレベータの乗り場操作装置について説明する。図１は、実施形態１に係るエレベータの構成例を示す概略図である。図２は、実施形態１に係る乗り場操作盤の設置例を示す正面図である。図３は、実施形態１に係る乗り場操作装置の構成例を示す斜視図である。図４は、実施形態１に係る乗り場操作装置の構成例を示すブロック図である。
【０００９】
エレベータ１００Ａは、図１に示すように、かご１１０と、ウェイト１２０と、メインロープ１３０と、巻上機１４０とを有し、さらに、そらせシーブ１５０と、エレベータ制御部３とを有して構成されている。なお、かご１１０、ウェイト１２０、メインロープ１３０は、昇降路１６０内に設置されている。また、巻上機１４０、そらせシーブ１５０及びエレベータ制御部３は、機械室１７０内に設置されている。なお、機械室１７０を設置せずに、巻上機１４０、エレベータ制御部３を昇降路１６０内に設置してもよい。
【００１０】
かご１１０は、利用者が乗降するものである。かご１１０は、昇降路１６０内に設置された図示しない一対のかご用ガイドレールの間に設置され、かご用ガイドレールに対して１以上設置された図示しない案内装置を介してかご用ガイドレールに沿って昇降することで、昇降路１６０内を昇降するものである。かご１１０には、かご側ドア１１１が開閉自在に設置されている。かご側ドア１１１は、かご１１０のかご側乗降口１１２を閉塞、開放するものである。かご側ドア１１１は、かご１１０の昇降時は閉状態を維持し、かご１１０が着床した場合に、図示しない駆動装置により閉状態から開状態となる。なお、かご１１０には、図示しない開閉センサなどが設置されており、これらのセンサがエレベータ制御部３と接続されており、かご側ドア１１１と、乗り場側ドア２０１１〜ｎ（ｎは、かご１１０が停止可能な階数）とを含むドアＤの開閉状態がエレベータ制御部３に入力される。乗り場側ドア２０１１〜ｎは、三方枠２０３に開閉自在に取り付けられている。
【００１１】
ウェイト１２０は、かご１１０の昇降に連動して昇降路１６０内を昇降するものである。ウェイト１２０は、図示しない一対のウェイト用ガイドレールの間に設置され、ウェイト用ガイドレールに対して１以上設置された図示しない案内装置を介してウェイト用ガイドレールに沿って昇降する。ここで、ウェイト１２０は、かご１１０が所定積載量（例えば、最大積載量に対して０〜１／２程度）の場合に巻上機１４０を挟んで、かご１１０と釣り合うように重量が設定されている。
【００１２】
メインロープ１３０は、かご１１０とウェイト１２０とを連結する１以上のロープであり、巻上機１４０のメインシーブ１４１及びそらせシーブ１５０に巻き掛けられている。メインロープ１３０は、かご１１０と、ウェイト１２０とをトラクション式に昇降させるものである。メインロープ１３０は、一方の端部がかご１１０に連結され、他方の端部がウェイト１２０に連結されている。メインロープ１３０は、一方の端部がかご１１０の鉛直方向上部に固定され、他方の端部がウェイト１２０の鉛直方向上部に固定されている。
【００１３】
巻上機１４０は、モータ１４２により回転することでメインシーブ１４１に巻き掛けられたメインロープ１３０を巻き上げ、かご１１０とウェイト１２０との昇降方向における相対位置を変化させることで、かご１１０を昇降路１６０内で昇降させるものである。巻上機１４０は、エレベータ制御部３と接続されており、エレベータ制御部３を介して供給される電力によりモータ１４２の駆動制御が行われる。
【００１４】
エレベータ１００Ａが設置される図示しない建物には、乗り場２００１〜ｎが設置されている。乗り場２００１〜ｎは、かご１１０が停止可能な階に設置されている。乗り場２００１〜ｎには、乗り場側ドア２０１１〜ｎが開閉自在にそれぞれ設置されている。乗り場側ドア２０１１〜ｎは、乗り場２００１〜ｎの乗り場側乗降口２０２１〜ｎをそれぞれ閉塞、開放するものである。乗り場側乗降口２０２１〜ｎは、かご１１０が着床した際にかご側乗降口１１２と対向する位置に形成されている。乗り場側ドア２０１１〜ｎは、通常、閉状態であり、図示しないロック機構により、開状態への動作が規制されている。乗り場側ドア２０１１〜ｎは、かご１１０が着床して、かご側ドア１１１が閉状態から開状態に動作するのに連動して、ロック機構によるロックを解除すると共に、閉状態から開状態となる。
【００１５】
また、乗り場２００１〜ｎには、乗り場操作盤２Ａ１〜ｎがそれぞれ設置されている。乗り場操作盤２Ａ１〜ｎは、利用者がエレベータ１００Ａのかご１１０を呼ぶ際に操作されるものであり、エレベータ制御部３に接続されている。乗り場操作盤２Ａ１〜ｎは、エレベータ１００Ａの各階における乗り場２００１〜ｎの三方枠２０３に設置され、開閉方向から見た場合に、三方枠２０３の一方側で利用者が操作し易い高さに設置されている。乗り場操作盤２Ａ１〜ｎは、押釦２１１〜ｎと、表示部２２Ａ１〜ｎとを含んで構成されている。
【００１６】
押釦２１１〜ｎは、各階にエレベータ１００Ａのかご１１０を呼ぶためのボタンである。押釦２１１〜ｎは、乗り場操作盤２Ａ１〜ｎにおいて、昇降方向における最下部に設置されている。押釦２１１〜ｎは、図示しない上階呼びボタンと、下階呼びボタン２１ａとが昇降方向において上から順に設置されている。上階呼びボタンは、乗り場２００１〜ｎ−１のいずれかに居る利用者が上の階のいずれかの乗り場２００２〜ｎへ移動する際に用いられる。下階呼びボタン２１ａは、乗り場２００２〜ｎのいずれかに居る利用者が下の階のいずれかの乗り場２００１〜ｎ−１へ移動する際に用いられる。乗り場操作盤２Ａ１〜ｎは、上階呼びボタン又は下階呼びボタン２１ａが利用者により操作されると、かご１１０が呼ばれたことを示す呼び登録信号をエレベータ制御部３に出力する。
【００１７】
エレベータ制御部３は、押釦２１１〜ｎが押下されることにより乗り場操作盤２Ａ１〜ｎから呼び登録信号を入力して呼び登録を行い、当該乗り場操作盤２Ａ１〜ｎが設置された乗り場２００１〜ｎの階床にかご１１０を呼ぶように制御する。例えば、エレベータ制御部３は、１階の乗り場２００１に配設された乗り場操作盤２Ａ１から呼び登録信号を入力すると、かご１１０の１階への呼び登録を行って、１階の乗り場２００１の階床にかご１１０を呼ぶように制御する。また、エレベータ制御部３は、昇降方向へのかご１１０の移動に応じて、かご１１０が位置する階床を示す表示データを乗り場操作盤２Ａ１〜ｎに出力する。
【００１８】
乗り場操作盤２Ａ１〜ｎの表示部２２Ａ１〜ｎは、かご１１０の階層等を表示するものであり、押釦２１１〜ｎの直上に設置されている。最上階の乗り場操作盤２Ａｎを除く乗り場操作盤２Ａ１〜ｎ−１の表示部２２Ａ１〜ｎ−１は液晶パネルであり、最上階の乗り場操作盤２Ａｎの表示部２２Ａｎはタッチパネルである。表示部２２Ａ１〜ｎは、エレベータ制御部３から表示データを入力し、当該表示データ基づいて階層等の情報を表示する。
【００１９】
最上階の乗り場操作盤２Ａｎに外部から接触することにより、乗り場操作盤２Ａｎの動作を切り替えるための操作キー２３が用意されている。操作キー２３は作業者が所持しており、接触部材として機能する。乗り場操作盤２Ａｎ、エレベータ制御部３及び操作キー２３は、乗り場操作装置１Ａを構成する。
【００２０】
最上階の乗り場操作盤２Ａｎは、表示部２２Ａｎの他に、キー挿入部２４Ａと、記憶部２５と、操作制御部２６Ａとを有する。タッチパネル式の表示部２２Ａｎは、利用者による乗り場操作盤２Ａｎの操作に応じてかご１１０を昇降する通常運転の際に用いられる通常画面Ｐ１（図５参照）と、通常運転とは異なる運転、すなわち点検又は故障時の運転の際に用いられる非通常画面Ｐ２（図５参照）とを表示する。例えば、表示部２２Ａｎは、エレベータ１００Ａが通常運転の場合、かご１１０が着床している階層などを示す通常画面Ｐ１を表示する。また、表示部２２Ａｎは、点検又は故障時の運転の場合、異常診断やエラー採取、点検運転への切り替えなどを示す非通常画面Ｐ２を表示する。表示部２２Ａｎは、非通常画面Ｐ２において、作業者からタッチ操作を受け付けて、操作信号を操作制御部２６Ａに出力する。
【００２１】
キー挿入部２４Ａは、乗り場操作盤２Ａｎの底面２７Ａに設けられ、図示しないスイッチ機構を有する。キー挿入部２４Ａは、操作キー２３が挿入されてスイッチがＯＮ又はＯＦＦされる。キー挿入部２４Ａは、操作制御部２６Ａに接続され、操作キー２３が挿入されてスイッチがＯＮされると、画面切替ＯＮ信号を操作制御部２６Ａに出力する。また、キー挿入部２４Ａは、操作キー２３が挿入されてスイッチがＯＦＦされると、画面切替ＯＦＦ信号を操作制御部２６Ａに出力する。
【００２２】
記憶部２５は、操作制御部２６Ａに接続され、非通常画面Ｐ２を構成するアプリケーションプログラムや、非通常画面Ｐ２を構成するフレーム画像等を記憶している。
【００２３】
操作制御部２６Ａは、キー挿入部２４Ａから画面切替ＯＮ信号又は画面切替ＯＦＦ信号を入力して、表示部２２Ａｎの表示画面を通常画面Ｐ１又は非通常画面Ｐ２に切り替える。例えば、操作制御部２６Ａは、キー挿入部２４Ａから画面切替ＯＮ信号を入力すると、記憶部２５からアプリケーションプログラム等を読み出して表示部２２Ａｎの表示画面を非通常画面Ｐ２に切り替える。また、操作制御部２６Ａは、キー挿入部２４Ａから画面切替ＯＦＦ信号を入力すると、表示部２２Ａｎの表示画面を通常画面Ｐ１に切り替える。操作制御部２６Ａ及びエレベータ制御部３は、制御部として機能する。
【００２４】
エレベータ１００Ａは、異常検出部４及び監視センター５を備えている。異常検出部４は、エレベータ制御部３に接続され、例えば、巻上機１４０やかご側ドア１１１などの異常を検出する。異常検出部４は、異常を検出すると異常検出信号をエレベータ制御部３に出力する。
【００２５】
監視センター５は、通信ネットワーク７を介してエレベータ制御部３に接続され、エレベータ１００Ａの運転状態等を監視する。監視センター５は、ＤＢ（Database）５１を有し、エレベータ１００Ａの運転状態等をＤＢ５１に記憶する。
【００２６】
次に、エレベータ１００Ａに対して乗り場操作装置１Ａを使用した作業例について説明する。図５は、実施形態１に係る乗り場操作装置の操作例を示す斜視図である。図６は、実施形態１に係る乗り場操作装置を使用した作業例を示すフローチャートである。エレベータ１００Ａは通常運転がされている。
【００２７】
図６に示すステップＳＴ１で、作業者は、操作キー２３をキー挿入部２４Ａに挿入してスイッチをＯＦＦからＯＮに切り替える。例えば、図５（Ａ）に示す乗り場操作盤２Ａｎのキー挿入部２４Ａに操作キー２３を挿入し、操作キー２３を回動させてスイッチをＯＦＦからＯＮに切り替える。次に、ステップＳＴ２に移行する。
【００２８】
ステップＳＴ２で、操作制御部２６Ａは、操作キー２３によりキー挿入部２４ＡのスイッチがＯＮにされたか否かを判定する。例えば、キー挿入部２４ＡのスイッチがＯＮにされると、操作制御部２６Ａは、キー挿入部２４Ａから画面切替ＯＮ信号を入力してキー挿入部２４ＡのスイッチがＯＮされたと判定し、ステップＳＴ３に移行する。
【００２９】
ステップＳＴ３で、エレベータ制御部３は、利用者による乗り場操作盤２Ａｎの操作に応じてかご１１０を昇降する通常運転の操作を無効にするように制御する。例えば、操作制御部２６Ａは、利用者による通常運転の操作を無効にすることを示す操作無効信号をエレベータ制御部３に出力する。エレベータ制御部３は、操作制御部２６Ａから操作無効信号を入力すると、利用者による乗り場操作盤２Ａ１〜ｎの操作によるかご１１０の呼び登録を行わないように制御する。また、エレベータ制御部３は、最上階を除く乗り場操作盤２Ａ１〜ｎ−１に対して、エレベータ１００Ａが利用できない旨を表示するように制御する。次に、ステップＳＴ４に移行する。
【００３０】
ステップＳＴ４で、操作制御部２６Ａは、乗り場操作盤２Ａｎの表示部２２Ａｎの表示画面を非通常画面Ｐ２に切り替えるように制御する。例えば、操作制御部２６Ａは、記憶部２５から各種アプリケーションプログラム等を読み出して乗り場操作盤２Ａｎの表示部２２Ａｎに表示データとして出力する。アプリケーションプログラムには、例えばエラーを採取するプログラムや異常を診断するプログラム、点検運転への切り替え用のプログラム、作業結果を監視センター５に報告するためのプログラムなどが含まれる。乗り場操作盤２Ａｎの表示部２２Ａｎは、操作制御部２６Ａから各種アプリケーションプログラム等を含む表示データを入力すると、図５（Ｂ）に示すように、各種アプリケーションプログラムのアイコンをトップ画面に集約して一覧表示する。なお、アプリケーションプログラムのバージョンは、自動的に新しいバージョンに更新される。例えば、監視センター５のＤＢ５１には、アプリケーションプログラムの最新バージョンが記憶されており、操作制御部２６Ａは、ＤＢ５１のアプリケーションプログラムのバージョンと、記憶部２５のアプリケーションプログラムのバージョンとを比較する。操作制御部２６Ａは、記憶部２５のアプリケーションプログラムのバージョンが古いバージョンであると判定すると、エレベータ制御部３を経由してＤＢ５１から最新バージョンのアプリケーションプログラムをダウンロードして記憶部２５のアプリケーションプログラムを更新する。次に、ステップＳＴ５に移行する。
【００３１】
ステップＳＴ５で、作業者は、アプリケーションプログラムを選択して作業を実施する。例えば、作業者は、表示部２２Ａｎに表示されたアプリケーションプログラムの一覧から所望のアプリケーションプログラムを選択して作業を実施する。例えば、一覧の中から異常診断を行うアプリケーションプログラムをタップすると、表示部２２Ａｎは、タップされた位置を示す座標信号を操作制御部２６Ａに出力する。操作制御部２６Ａは、表示部２２Ａｎから出力された座標信号に基づいて作業者により選択された異常診断のアプリケーションプログラムを特定し、特定したアプリケーションプログラムを記憶部２５から読み出して表示部２２Ａｎに表示する。作業者は、表示部２２Ａｎに表示されたアプリケーションプログラムを操作して異常診断を行う。
【００３２】
アプリケーションプログラムには、点検又は故障の際に必要な作業手順が含まれる。例えば、異常診断のアプリケーションプログラムを実行した際に、異常診断の結果が巻上機１４０に関するものであった場合、表示部２２Ａｎは、巻上機１４０の異常に対処するための手順も表示する。なお、エレベータ１００Ａの運転状態によって手順等の調整が必要なものに対しては、自動で調整をする。次に、ステップＳＴ６に移行する。
【００３３】
ステップＳＴ６で、操作制御部２６Ａは、アプリケーションプログラムによる作業を完了したか否かを判定する。例えば、操作制御部２６Ａは、表示部２２Ａｎから入力した座標信号がアプリケーションプログラムを終了するものであると判定すると、アプリケーションプログラムを終了させる。次に、ステップＳＴ７に移行する。
【００３４】
ステップＳＴ７で、作業者は、キー挿入部２４Ａに挿入された操作キー２３によりスイッチをＯＦＦに切り替える。例えば、キー挿入部２４Ａに挿入された操作キー２３を回動させてスイッチをＯＮからＯＦＦに切り替える。キー挿入部２４ＡのスイッチがＯＦＦにされると、操作制御部２６Ａは、キー挿入部２２Ａｎから画面切替ＯＦＦ信号を入力し、表示部２２Ａｎの表示画面を、図５（Ａ）に示すように、通常運転を示す通常画面Ｐ１に切り替える。
【００３５】
また、利用者による通常運転の操作を有効にする。例えば、操作制御部２６Ａは、利用者による通常運転の操作を有効にすることを示す操作有効信号をエレベータ制御部３に出力する。エレベータ制御部３は、操作制御部２６Ａから操作有効信号を入力すると、利用者による乗り場操作盤２Ａ１〜ｎの操作によるかご１１０の呼び登録を行うように制御する。また、エレベータ制御部３は、乗り場操作盤２Ａ１〜ｎ−１に対して、通常画面Ｐ１を表示するように制御する。
【００３６】
なお、非通常画面Ｐ２で起動したアプリケーションプログラムが終了されずに、スイッチがＯＦＦにされた場合、表示部２２Ａｎに通常画面Ｐ１を表示せずにエラー画面を表示したり警報音を鳴らしたりして、作業者にアプリケーションプログラムを終了させてからキー挿入部２４ＡのスイッチをＯＦＦするように促す。これにより、例えば、アプリケーションプログラムにより点検運転等に設定された状態で、表示部２２Ａｎの表示画面が通常画面Ｐ１に切り替わることを防止できる。次に、ステップＳＴ８に移行する。
【００３７】
ステップＳＴ８で、作業者は、操作キー２３がスイッチＯＦＦであるかを確認し、操作キー２３がＯＦＦであればステップＳＴ９に移行し、ステップＳＴ９で、作業者は、操作キー２３をキー挿入部２４Ａから抜いて外す。なお、操作キー２３は、スイッチがＯＮの状態ではロックがかかり、スイッチをＯＦＦにしなければキー挿入部２４Ａから取り外せない（ステップＳＴ８；ＮО）。
【００３８】
また、上述のステップＳＴ２で、操作制御部２６Ａは、乗り場操作盤２Ａｎから画面切替ＯＮ信号を入力するまで、表示部２２Ａｎに通常画面Ｐ１を表示するように制御する（ステップＳＴ２；ＮО）。
【００３９】
また、ステップＳＴ６で、操作制御部２６Ａは、表示部２２Ａｎに表示されたアプリケーションプログラムからアプリ終了を示す信号を入力するまで、アプリケーションプログラムの起動を継続する（ステップＳＴ６；ＮО）。
【００４０】
以上のように、実施形態１に係るエレベータ１００Ａの乗り場操作装置１Ａによれば、キー挿入部２４Ａに操作キー２３が挿入されてスイッチがＯＮされると、利用者による通常運転の操作を無効にし、乗り場操作盤２Ａｎの表示部２２Ａｎに非通常画面Ｐ２を表示するものである。
【００４１】
これにより、点検又は故障時の運転の際に、乗り場操作盤２Ａｎの表示部２２Ａｎに表示される非通常画面Ｐ２を使用して点検等の作業を実施することができる。従って、乗り場操作盤２Ａｎを取り外すことなく点検等の作業を実施できるので、作業の手間を省くことができ、作業時間を短縮できる。また、乗り場操作盤２Ａｎの開閉の省略により、乗り場操作盤２Ａｎの意匠を汚すことなく作業を実施できる。さらに、従来、無線の携帯端末を使用して点検等に対応していたが、乗り場操作盤２Ａｎの表示部２２Ａｎを使用することで携帯端末が不要になり、作業の装備品を簡略化できる。また、客先で無線の携帯端末を操作することによるイメージダウンを回避することができる。
【００４２】
また、キー挿入部２４Ａに操作キー２３が挿入されてスイッチがＯＮされると、記憶部２５からアプリケーションプログラムを読み出して、当該アプリケーションプログラムのアイコンを表示部２２Ａｎに表示するので、各種アプリケーションプログラムのアイコンをタップしてアプリケーションプログラムを起動して点検作業等を行うことができる。これにより、操作性を向上できると共に作業効率を向上できる。例えば、起動したアプリケーションプログラムによって、エレベータの運転を点検運転に切り替えたり、点検作業を監視センター５に報告できるようになる。
【００４３】
アプリケーションプログラムには、点検又は故障の際に必要な作業手順が含まれているので、点検における調整作業や故障からの復旧作業を円滑に行うことができる。例えば、経験や専門知識が必要な作業であっても、作業者は、手順に沿って作業を行うことができる。
【００４４】
なお、最上階の乗り場操作盤２Ａｎの表示部２２Ａｎをタッチパネルにして従来のホールメンテナンスユニットの機能を持たせたが、他の階の乗り場操作盤２Ａ１〜ｎ−１の表示部２２Ａ１〜ｎ−１をタッチパネルにしてホールメンテナンスユニットの機能を持たせてもよい。
【００４５】
また、いたずらを防止するために、押釦２１ｎの押下と連動させて操作キー２３を回動させなければ、キー挿入部２４ＡのスイッチがＯＮにならないようにしてもよい。例えば、押釦２１ｎの押下した状態で操作キー２３を回動させるとスイッチをＯＮにしたり、押釦２１ｎを連続で所定回数押下した後に、操作キー２３を回動させるとスイッチをＯＮにしたりする。
【００４６】
また、非通常画面Ｐ２に切り替えた後に、押釦２１ｎを押下することで、スワイプ操作のように非通常画面Ｐ２のページをめくるようにしてもよい。
【００４７】
また、非通常画面Ｐ２に表示されたアプリケーションプログラムと従来の無線端末を併用して点検等の作業を実施することも可能である。
【００４８】
また、キー挿入部２４Ａに操作キー２３を挿入してスイッチをＯＮすることにより表示画面を非通常画面Ｐ２に切り替えたが、これに限定されない。例えば、電気的な導通により、非通常画面Ｐ２に切り替えてもよい。例えば、乗り場操作盤の挿入部に導通部材を挿入して電気的導通が検出されると、非通常画面Ｐ２に切り替えるようにしてもよい。
【００４９】
〔実施形態２〕
実施形態２に係るエレベータ１００Ｂの乗り場操作装置１Ｂについて説明する。図７は、実施形態２に係る乗り場操作装置の構成例を示す斜視図である。図８は、実施形態２に係る乗り場操作装置の構成例を示すブロック図である。
【００５０】
図７に示すように、乗り場操作装置１Ｂは、乗り場操作盤２Ｂｎと、携帯端末６と、エレベータ制御部３とを含んで構成されている。乗り場操作盤２Ｂｎは、最上階の乗り場２００ｎに設置されている。乗り場操作盤２Ｂｎの表示部２２Ｂｎは液晶パネルであり、エレベータ制御部３から表示データを入力し、当該表示データ基づいて階層等の情報を表示する。乗り場操作盤２Ｂｎの底面２７Ｂには、ケーブル接続部２４Ｂが設けられている。ケーブル接続部２４Ｂには、防水・防塵用のキャップ２８が装着されている。防水・防塵用のキャップ２８は、そのサイズが縦が１０ｍｍで横が３０ｍｍであり、ケーブル接続部２４Ｂに水や塵が侵入することを防ぐ。
【００５１】
携帯端末６は、点検又は故障時の運転の際に用いられる非通常画面Ｐ３（図９参照）を表示するものであり、表示部６１と、記憶部６２と、ケーブル６３と、ケーブル接続部６４と、端末制御部６５とを含んで構成されている。端末制御部６５及びエレベータ制御部３は、制御部として機能する。
【００５２】
表示部６１はタッチパネルであり、点検又は故障時の運転の際に用いられる非通常画面Ｐ３を表示する。表示部６１は、当該非通常画面Ｐ３において、作業者から操作を受け付けて、操作信号を端末制御部６５に出力する。
【００５３】
記憶部６２は、非通常画面Ｐ３を構成するアプリケーションプログラムや、非通常画面Ｐ３を構成するフレーム画像等を記憶している。アプリケーションプログラムは、エレベータの機種毎に用意されている。
【００５４】
ケーブル６３は、携帯端末６と乗り場操作盤２Ｂｎとを接続するものであり、両端に端子６３１，６３２を有している。端子６３１，６３２は、例えばＵＳＢ（Universal  Serial  Bus）端子であり、携帯端末６のケーブル接続部６４又は乗り場制御盤２Ｂｎのケーブル接続部２４Ｂに接続される。
【００５５】
端末制御部６５は、記憶部６２からアプリケーションプログラム等を読み出して表示部６１に表示データとして出力する。また、端末制御部６５は、表示部６１から操作信号を入力して乗り場操作盤２Ｂｎに出力する。
【００５６】
次に、乗り場操作装置１Ｂを使用した作業例について説明する。図９は、実施形態２に係る乗り場操作装置の操作例を示す斜視図である。図１０は、実施形態２に係る乗り場操作装置を使用した作業例を示すフローチャートである。エレベータ１００Ｂは通常運転がされている。
【００５７】
図１０に示すステップＳＴ１１で、作業者は、乗り場操作盤２Ｂｎに携帯端末６をケーブル６３により接続する。例えば、図９に示すように、作業者は、携帯端末６のケーブル接続部６４にケーブル６３の端子６３１を装着し、乗り場操作盤２Ｂｎのケーブル接続部２４Ｂから防水・防塵用のキャップ２８を取り外してケーブル６３の端子６３２をケーブル接続部２４Ｂに装着し、携帯端末６の主電源をＯＮにする。次に、ステップＳＴ１２に移行する。
【００５８】
ステップＳＴ１２で、乗り場操作盤２Ｂｎの操作制御部２６Ｂは、携帯端末６が接続されたか否かを判定する。例えば、携帯端末６が乗り場操作盤２Ｂｎに接続されて携帯端末６の主電源がＯＮされると、携帯端末６の端末制御部６５から乗り場操作盤２Ｂｎの操作制御部２６Ｂに接続要求信号が出力される。操作制御部２６Ｂは、端末制御部６５から接続要求信号を入力すると、端末制御部６５に接続応答信号を出力してステップＳＴ１３に移行する。
【００５９】
ステップＳＴ１３で、エレベータ制御部３は、利用者による乗り場操作盤２Ｂｎの操作に応じてかごを昇降する通常運転の操作を無効にするように制御する。例えば、操作制御部２６Ｂは、携帯端末６から接続要求信号を入力した後、利用者による通常運転の操作を無効にすることを示す操作無効信号をエレベータ制御部３に出力する。エレベータ制御部３は、操作制御部２６Ｂから操作無効信号を入力すると、利用者による乗り場操作盤２Ｂ１〜ｎの操作によるかご１１０の呼び登録を行わないように制御する。また、エレベータ制御部３は、最上階の乗り場操作盤２Ｂｎを除く乗り場操作盤２Ｂ１〜ｎ−１に対して、エレベータ１００Ｂが利用できない旨を表示するように制御する。次に、ステップＳＴ１４に移行する。
【００６０】
ステップＳＴ１４で、端末制御部６５は、携帯端末６の表示部６１に非通常画面Ｐ３としてアプリケーションプログラムを表示する。例えば、端末制御部６５は、エレベータ１００Ｂの機種に応じたアプリケーションプログラム等を記憶部６２から読み出して、表示部６１にアプリケーションプログラム等を表示する。なお、アプリケーションプログラムのバージョンは、自動的に新しいバージョンに更新される。例えば、監視センター５のＤＢ５１には、アプリケーションプログラムの最新バージョンが記憶されており、端末制御部６５は、ＤＢ５１のアプリケーションプログラムのバージョンと、記憶部６２のアプリケーションプログラムのバージョンとを比較する。端末制御部６５は、記憶部６２のアプリケーションプログラムのバージョンが古いバージョンと判定すると、操作制御部２６Ｂ及びエレベータ制御部３を経由してＤＢ５１から最新バージョンのアプリケーションプログラムをダウンロードして記憶部６２のアプリケーションプログラムを更新する。次に、ステップＳＴ１５に移行する。
【００６１】
ステップＳＴ１５で、作業者は、アプリケーションプログラムを選択して作業を実施する。例えば、作業者は、表示部６１に表示されたアプリケーションプログラムの一覧から所望のアプリケーションプログラムを選択して作業を実施する。例えば、異常診断を行うアプリケーションプログラムをタップすると、表示部６１は、タップされた位置を示す座標信号を端末制御部６５に出力する。端末制御部６５は、表示部６１から出力された座標信号に基づいて作業者により選択された異常診断のアプリケーションプログラムを特定し、特定したアプリケーションプログラムを記憶部６２から読み出して表示部６１に表示する。作業者は、表示部６１に表示されたアプリケーションプログラムを操作して異常診断を行う。次に、ステップＳＴ１６に移行する。
【００６２】
ステップＳＴ１６で、端末制御部６５は、アプリケーションプログラムによる作業を完了したか否かを判定する。例えば、端末制御部６５は、表示部６１から入力した座標信号がアプリケーションプログラムを終了するものであると判定すると、アプリケーションプログラムを終了させる。次に、ステップＳＴ１７に移行する。
【００６３】
ステップＳＴ１７で、作業者は、乗り場操作盤２Ｂｎのケーブル接続部２４Ｂに装着されたケーブル６３の端子６３２を取り外して、携帯端末６の接続を解除する。携帯端末６の接続が解除されると、利用者による通常運転の操作を有効にする。例えば、操作制御部２６Ｂは、端末制御部６５に対して一定の間隔で信号を出力して応答確認を行っており、端末制御部６５からの応答がなくなると、携帯端末６の接続が解除されたと判定し、利用者による通常運転の操作を有効にすることを示す操作有効信号をエレベータ制御部３に出力する。エレベータ制御部３は、操作制御部２６Ｂから操作有効信号を入力すると、利用者による乗り場操作盤２Ｂ１〜ｎの操作によるかご１１０の呼び登録を行うように制御する。また、エレベータ制御部３は、乗り場操作盤２Ｂ１〜ｎ−１に対して、通常画面Ｐ１を表示するように制御する。
【００６４】
なお、上述のステップＳＴ１２で、乗り場操作盤２Ｂｎの操作制御部２６Ｂは、携帯端末６が接続されるまで通常運転の操作を無効にしない（ステップＳＴ１２；ＮО）。また、ステップＳＴ１６で、端末制御部６５は、アプリケーションプログラムによる作業が完了するまでアプリケーションプログラムを起動させておく（ステップＳＴ１６；ＮО）。
【００６５】
また、非通常画面Ｐ３で起動したアプリケーションプログラムが終了されずに、ケーブル６３の端子６３２が取り外された場合、携帯端末６の表示部６１にエラー画面を表示したり警報音を鳴らしたりして、作業者にアプリケーションプログラムを終了させるように促す。これにより、例えば、アプリケーションプログラムにより点検運転等に設定された状態で、作業を終了させることを防止できる。
【００６６】
以上のように、実施形態２に係るエレベータ１００Ｂの乗り場操作装置１Ｂによれば、携帯端末６が乗り場操作盤２Ｂｎに接続されると、利用者による通常運転の操作を無効にし、非通常画面Ｐ３を携帯端末６の表示部６１に表示する。これにより、点検又は故障時の運転の際に、乗り場操作盤２Ｂｎに接続された携帯端末６の表示部６１に表示された非通常画面Ｐ３を使用して点検等の作業を実施することができる。専用の携帯端末６を用いるので、マンションなどのいたずらが多い場所のエレベータを点検する場合に適している。
【００６７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６８】
１Ａ，１Ｂ  乗り場操作装置、２Ａ１〜ｎ，２Ｂ１〜ｎ  乗り場操作盤、２２Ａ１〜ｎ，２２Ｂ１〜ｎ  表示部、２３  操作キー、２４Ａ  キー挿入部、２４Ｂ  ケーブル接続部、２５  記憶部、２６Ａ，２６Ｂ  操作制御部、３  エレベータ制御部、６  携帯端末、６１  表示部、６２  記憶部、６３  ケーブル、６４  ケーブル接続部、６５  端末制御部
【図１】
2016117574.tif 000003
【図２】
2016117574.tif 000004
【図３】
2016117574.tif 000005
【図４】
2016117574.tif 000006
【図５】
2016117574.tif 000007
【図６】
2016117574.tif 000008
【図７】
2016117574.tif 000009
【図８】
2016117574.tif 000010
【図９】
2016117574.tif 000011
【図１０】
2016117574.tif 000012
【手続補正書】
【提出日】平成27年12月18日(2015.12.18)
【手続補正１】
【補正対象書類名】特許請求の範囲
【補正対象項目名】全文
【補正方法】変更
【補正の内容】
【特許請求の範囲】
【請求項１】
エレベータの各階の乗り場に設置され、前記各階に前記エレベータのかごを呼ぶための乗り場操作盤と、前記乗り場操作盤に外部から接触することにより、当該乗り場操作盤の動作を切り替えるための接触部材と、前記エレベータを制御する制御部とを備え、前記乗り場操作盤は、利用者による前記乗り場操作盤の操作に応じて前記かごを昇降する通常運転の際に用いられる通常画面と、前記通常運転とは異なる運転の際に用いられる非通常画面とを表示するタッチパネルを有し、前記制御部は、前記接触部材が前記乗り場操作盤に接触した後に所定の操作を行われた場合に当該接触部材が離れるまでの間、前記利用者による前記通常運転の操作を無効にし、前記非通常画面を前記タッチパネルに表示することを特徴とするエレベータの乗り場操作装置。
【請求項２】
前記非通常画面を構成するアプリケーションプログラムを記憶する記憶部を有し、前記制御部は、前記接触部材が前記乗り場操作盤に接触すると、前記記憶部から前記アプリケーションプログラムを読み出して、当該アプリケーションプログラムのアイコンを前記タッチパネルに表示する請求項１に記載のエレベータの乗り場操作装置。
【請求項３】
前記アプリケーションプログラムには、点検又は故障の際に必要な作業手順が含まれる請求項２に記載のエレベータの乗り場操作装置。
【手続補正２】
【補正対象書類名】明細書
【補正対象項目名】０００６
【補正方法】変更
【補正の内容】
【０００６】
実施形態のエレベータの乗り場操作装置は、乗り場操作盤と接触部材と制御部とを備える。乗り場操作盤は、エレベータの各階の乗り場に設置され、前記各階に前記エレベータのかごを呼ぶためのものである。接触部材は、前記乗り場操作盤に外部から接触することにより、当該乗り場操作盤の動作を切り替えるためのものである。前記乗り場操作盤はタッチパネルを有し、利用者による前記乗り場操作盤の操作に応じて前記かごを昇降する通常運転の際に用いられる通常画面と、前記通常運転とは異なる運転の際に用いられる非通常画面とを表示する。制御部は、前記接触部材が前記乗り場操作盤に接触した後に所定の操作を行われた場合に当該接触部材が離れるまでの間、前記利用者による前記通常運転の操作を無効にし、前記非通常画面を前記タッチパネルに表示する。